(57)【要約】【課題】医療機関の投薬ミスを容易に発見し、誤った薬剤を患者が服用することを防止する。【解決手段】医療機関サーバ１１０1は、医療機関１００1が患者２００1に投与した薬剤の内容を示す薬剤投与情報を薬剤管理サーバ３１０に送信する。ユーザ端末２１０1は、患者２００1が実際に受け取った薬剤の内容を示す薬剤受取情報を薬剤管理サーバ３１０に送信する。薬剤管理サーバ３１０は、医療機関サーバ１１０1からの薬剤投与情報とユーザ端末２１０1からの薬剤受取情報とを比較し、その比較結果に基づいて投薬ミスがあるか否かを判定する。【選択図】図１
2005056317.tif 000002
【特許請求の範囲】
【請求項１】
少なくとも１つの医療機関に設置された医療機関サーバと、少なくとも１人の患者が使用する端末と、薬剤管理サーバとを有する薬剤管理システムにおいて、
前記薬剤管理サーバは、
前記医療機関が前記患者に投与した薬剤の内容を示す薬剤投与情報を前記医療機関サーバからネットワークを介して受信するとともに、前記患者が前記医療機関から実際に受け取った薬剤の内容を示す薬剤受取情報を前記端末から前記ネットワークを介して受信する受信手段と、
前記医療機関サーバから受信した薬剤投与情報と前記端末から受信した薬剤受取情報とを比較し、比較結果に基づいて前記医療機関に投薬ミスがあったか否かを判定する判定手段とを有する、薬剤管理システム。
【請求項２】
前記薬剤管理サーバは、
前記端末から受信した薬剤受取情報に基づいて、前記患者の薬剤履歴を管理する薬剤履歴管理手段をさらに有し、
前記判定手段は、前記薬剤履歴管理手段にて管理されている薬剤履歴に基づいて、前記患者への薬剤の重複投与があったか否かを判定する、請求項１に記載の薬剤管理システム。
【請求項３】
前記薬剤管理サーバは、
前記判定手段にて前記投薬ミスまたは前記重複投与があったと判定された場合、前記ネットワークを介して前記端末および前記医療機関サーバに前記投薬ミスまたは前記重複投与の緊急通知を行う緊急通知手段をさらに有し、
前記医療機関サーバは、
前記薬剤管理サーバから前記ネットワークを介して送信されてきた前記投薬ミスまたは前記重複投与の緊急通知を受信する受信手段と、
前記投薬ミスまたは前記重複投与の緊急通知を前記ネットワークを介して前記端末に転送する緊急通知転送手段とを有する、請求項１または２に記載の薬剤管理システム。
【請求項４】
前記緊急通知転送手段は、前記投薬ミスまたは前記重複投与の緊急通知を前記ネットワークを介して前記端末に転送する際に、前記投薬ミスまたは前記重複投与の対処法も併せて前記ネットワークを介して前記端末に送信する、請求項３に記載の薬剤管理システム。
【請求項５】
前記端末は、
前記患者が前記医療機関から実際に受け取った薬剤の入れ物に添付された無線情報発信タグから自動発信された当該薬剤の薬剤情報を受信する受信手段と、
前記無線情報発信タグから受信した薬剤情報を、前記薬剤受取情報として前記ネットワークを介して前記薬剤管理サーバに通知する通知手段とを有する、請求項１から４のいずれか１項に記載の薬剤管理システム。
【請求項６】
少なくとも１つの医療機関に設置された医療機関サーバと、少なくとも１人の患者が使用する端末と、薬剤管理サーバとによる薬剤管理方法において、
前記薬剤管理サーバが、前記医療機関が前記患者に投与した薬剤の内容を示す薬剤投与情報を前記医療機関サーバからネットワークを介して受信するとともに、前記患者が前記医療機関から実際に受け取った薬剤の内容を示す薬剤受取情報を前記端末から前記ネットワークを介して受信する第１のステップと、
前記薬剤管理サーバが、前記医療機関サーバから受信した薬剤投与情報と前記端末から受信した薬剤受取情報とを比較し、比較結果に基づいて前記医療機関に投薬ミスがあったか否かを判定する第２のステップとを有する、薬剤管理方法。
【請求項７】
前記薬剤管理サーバが、前記端末から受信した薬剤受取情報に基づいて、前記患者の薬剤履歴を作成または更新する第３のステップと、
前記薬剤管理サーバが、前記患者の薬剤履歴に基づいて、前記患者への薬剤の重複投与があったか否かを判定する第４のステップとをさらに有する、請求項６に記載の薬剤管理方法。
【請求項８】
前記薬剤管理サーバが、前記第２または第４のステップにて前記投薬ミスまたは前記重複投与があったと判定した場合、前記ネットワークを介して前記端末および前記医療機関サーバに前記投薬ミスまたは前記重複投与の緊急通知を行う第５のステップと、
前記医療機関サーバが、前記薬剤管理サーバから前記ネットワークを介して送信されてきた前記投薬ミスまたは前記重複投与の緊急通知を、前記ネットワークを介して前記端末に転送する第６のステップとを有する、請求項６または７に記載の薬剤管理方法。
【請求項９】
前記第６のステップでは、前記医療機関サーバが、前記投薬ミスまたは前記重複投与の緊急通知と併せて、前記投薬ミスまたは前記重複投与の対処法も前記ネットワークを介して前記端末に転送する、請求項８に記載の薬剤管理方法。
【請求項１０】
前記第１のステップでは、前記端末が、前記患者が前記医療機関から実際に受け取った薬剤の入れ物に添付された無線情報発信タグから自動発信された当該薬剤の薬剤情報を受信し、受信した薬剤情報を、前記薬剤受取情報として前記ネットワークを介して前記薬剤管理サーバに通知する、請求項６から９のいずれか１項に記載の薬剤管理方法。
【請求項１１】
少なくとも１つの医療機関に設置された医療機関サーバと、少なくとも１人の患者が使用する端末とにネットワークを介して接続された薬剤管理サーバにおいて、
前記医療機関が前記患者に投与した薬剤の内容を示す薬剤投与情報を前記医療機関サーバからネットワークを介して受信するとともに、前記患者が前記医療機関から実際に受け取った薬剤の内容を示す薬剤受取情報を前記端末から前記ネットワークを介して受信する受信手段と、
前記医療機関サーバから受信した薬剤投与情報と前記端末から受信した薬剤受取情報とを比較し、比較結果に基づいて前記医療機関に投薬ミスがあったか否かを判定する判定手段とを有する、薬剤管理サーバ。
【請求項１２】
前記端末から受信した薬剤受取情報に基づいて、前記患者の薬剤履歴を管理する薬剤履歴管理手段をさらに有し、
前記判定手段は、前記薬剤履歴管理手段にて管理されている薬剤履歴に基づいて、前記患者への薬剤の重複投与があったか否かを判定する、請求項１１に記載の薬剤管理サーバ。
【請求項１３】
前記判定手段にて前記投薬ミスまたは前記重複投与があったと判定された場合、前記ネットワークを介して前記端末および前記医療機関サーバに前記投薬ミスまたは前記重複投与の緊急通知を行う緊急通知手段をさらに有する、請求項１１または１２に記載の薬剤管理サーバ。
【発明の詳細な説明】
【技術分野】
【０００１】
本発明は、医療機関から患者に投与された薬剤の管理を行う薬剤管理システム、薬剤管理方法、薬剤管理サーバに関するものである。
【背景技術】
【０００２】
従来、患者が病院や薬局等の医療機関から投与された薬剤の管理を行う場合、薬剤の入れ物に記入されている薬剤情報を自らで薬剤手帳に記入するか、または、薬剤情報を自らでパーソナルコンピュータ等に入力するか等の方法で管理を行っていた。しかしながら、いずれの場合にも、患者自身で薬剤情報を記入または入力するという面倒な手続きが必要であるという問題点や、患者自身が薬の服用時間を正確に管理していなければ、適正な時間に薬を服用することができないという問題点があった。
【０００３】
そのため、最近では、上記問題点を解決すべく、各種の技術が開示されている。
【０００４】
例えば、特許文献１においては、薬剤の入れ物となるパッケージに、薬剤情報が書き込まれたＩＣチップを添付する技術が開示されている。この技術によれば、ＩＣチップに書き込まれた薬剤情報を非接触リーダライタで読み込み、読み取った情報をパーソナルコンピュータ等に転送し、記憶させることにより、患者自身で薬剤情報を記入または入力することなく、薬剤管理を行うことができるという利点がある。
【０００５】
また、特許文献２においては、医療機関が患者に投与した薬剤情報を管理する管理センターを設けた技術が開示されている。この技術によれば、患者自身で薬剤管理を行わずとも、管理センターに患者の薬剤管理を行わせることができるという利点がある。
【特許文献１】特開２００２−１０２３１０号公報
【特許文献２】特開２００３−０１６１８５号公報
【発明の開示】
【発明が解決しようとする課題】
【０００６】
しかしながら、特許文献１，２に開示された従来技術においては、患者が医療機関から実際に受け取った薬剤の種類、数量等が、医療機関が患者に投与したと思っていたものとは異なる場合、すなわち、医療機関に投薬ミスがあった場合に、投薬ミスを発見することができないという問題点がある。医療機関に投薬ミスが発生し、誤った薬剤を患者が服用すると、その薬剤の副作用により、患者にとって重大な疾患に繋がることも考えられる。
【０００７】
そこで本発明の目的は、医療機関の投薬ミスを容易に発見し、誤った薬剤を患者が服用することを防止することができる薬剤管理システム、薬剤管理方法、薬剤管理サーバを提供することにある。
【課題を解決するための手段】
【０００８】
上記目的を達成するために本発明の薬剤管理システムは、少なくとも１つの医療機関に設置された医療機関サーバと、少なくとも１人の患者が使用する端末と、薬剤管理サーバとを有する薬剤管理システムにおいて、薬剤管理サーバは、医療機関が患者に投与した薬剤の内容を示す薬剤投与情報を医療機関サーバからネットワークを介して受信するとともに、患者が医療機関から実際に受け取った薬剤の内容を示す薬剤受取情報を端末からネットワークを介して受信する受信手段と、医療機関サーバから受信した薬剤投与情報と端末から受信した薬剤受取情報とを比較し、比較結果に基づいて医療機関に投薬ミスがあったか否かを判定する判定手段とを有することを特徴とするものである。
【０００９】
また、薬剤管理サーバは、端末から受信した薬剤受取情報に基づいて、患者の薬剤履歴を管理する薬剤履歴管理手段をさらに有し、判定手段は、薬剤履歴管理手段にて管理されている薬剤履歴に基づいて、患者への薬剤の重複投与があったか否かを判定することとしても良い。
【００１０】
また、薬剤管理サーバは、判定手段にて投薬ミスまたは重複投与があったと判定された場合、ネットワークを介して端末および医療機関サーバに投薬ミスまたは重複投与の緊急通知を行う緊急通知手段をさらに有し、医療機関サーバは、薬剤管理サーバからネットワークを介して送信されてきた投薬ミスまたは重複投与の緊急通知を受信する受信手段と、投薬ミスまたは重複投与の緊急通知をネットワークを介して端末に転送する緊急通知転送手段とを有することとしても良い。
【００１１】
また、緊急通知転送手段は、投薬ミスまたは重複投与の緊急通知をネットワークを介して端末に転送する際に、投薬ミスまたは重複投与の対処法も併せてネットワークを介して端末に送信することとしても良い。
【００１２】
また、端末は、患者が医療機関から実際に受け取った薬剤の入れ物に添付された無線情報発信タグから自動発信された当該薬剤の薬剤情報を受信する受信手段と、無線情報発信タグから受信した薬剤情報を、薬剤受取情報としてネットワークを介して薬剤管理サーバに通知する通知手段とを有することとしても良い。
【００１３】
上記目的を達成するために本発明の薬剤管理方法は、少なくとも１つの医療機関に設置された医療機関サーバと、少なくとも１人の患者が使用する端末と、薬剤管理サーバとによる薬剤管理方法において、薬剤管理サーバが、医療機関が患者に投与した薬剤の内容を示す薬剤投与情報を医療機関サーバからネットワークを介して受信するとともに、患者が医療機関から実際に受け取った薬剤の内容を示す薬剤受取情報を端末からネットワークを介して受信する第１のステップと、薬剤管理サーバが、医療機関サーバから受信した薬剤投与情報と端末から受信した薬剤受取情報とを比較し、比較結果に基づいて医療機関に投薬ミスがあったか否かを判定する第２のステップとを有することを特徴とするものである。
【００１４】
上記目的を達成するために本発明の薬剤管理サーバは、少なくとも１つの医療機関に設置された医療機関サーバと、少なくとも１人の患者が使用する端末とにネットワークを介して接続された薬剤管理サーバにおいて、医療機関が患者に投与した薬剤の内容を示す薬剤投与情報を医療機関サーバからネットワークを介して受信するとともに、患者が医療機関から実際に受け取った薬剤の内容を示す薬剤受取情報を端末からネットワークを介して受信する受信手段と、医療機関サーバから受信した薬剤投与情報と端末から受信した薬剤受取情報とを比較し、比較結果に基づいて医療機関に投薬ミスがあったか否かを判定する判定手段とを有することを特徴とするものである。
【発明の効果】
【００１５】
本発明においては、薬剤管理サーバにおいて、医療機関が患者に投与した薬剤の内容を示す薬剤投与情報を医療機関サーバから受信するとともに、患者が実際に受け取った薬剤の内容を示す薬剤受取情報を端末から受信し、医療機関サーバからの薬剤投与情報と端末からの薬剤受取情報との比較結果に基づいて投薬ミスがあるか否かを判定する構成としたため、投薬ミスがあったことを容易に発見することができる。
【００１６】
また、薬剤管理サーバにおいて、患者の薬剤履歴を管理することとし、薬剤履歴に基づいて重複投与があるか否かを判定する構成とした場合には、患者への重複投与があったことも容易に発見することができる。
【００１７】
また、薬剤管理サーバにおいて、投薬ミスまたは重複投与があった場合に、医療機関サーバに緊急通知を行う構成とした場合には、医療機関は、患者に投与した薬剤について投薬ミスまたは重複投与があったことを認識することができる。例えば、医療機関は、投薬ミスの緊急通知を受けた場合、以降、投薬ミスがないように十分な注意を持って投薬を行うものと考えられるため、投薬ミスを予備的に防ぐことにも繋がると考えられる。
【００１８】
また、薬剤管理サーバにおいて、投薬ミスまたは重複投与があった場合に、端末に緊急通知を行う構成とした場合には、患者は、緊急通知がない限り、医療機関から受け取った薬剤について投薬ミスまたは重複投与がないという安心感を持って当該薬剤を服用することができるようになる。
【００１９】
また、医療機関サーバにおいて、薬剤管理サーバからの投薬ミスまたは重複投与の緊急通知を端末に転送する構成とした場合には、患者は、薬剤管理サーバおよび医療機関サーバの２箇所から緊急通知を受けることになり、より安心感を持って薬剤を服用することができるようになる。
【００２０】
また、患者の端末において、患者が医療機関から受け取った薬剤の入れ物に添付された無線情報発信タグから薬剤情報を受信し、受信した薬剤情報を薬剤受取情報として薬剤管理サーバに通知する構成とした場合には、患者は、自身で薬剤情報を記入または入力するという面倒な処理を行わずとも、薬剤管理サーバに薬剤履歴の管理を行わせることができる。
【発明を実施するための最良の形態】
【００２１】
以下、本発明の実施形態について図面を参照して説明する。
【００２２】
図１は、本発明の一実施形態による薬剤管理システムの構成を示す図である。
【００２３】
図１を参照すると、本発明の一実施形態による薬剤管理システムは、医療機関１００1〜１００nにそれぞれ設置された医療機関サーバ１１０1〜１１０nと、患者２００1〜２００mがそれぞれ使用するユーザ端末２１０1〜２１０mと、患者２００1〜２００mの薬剤管理を行う薬剤管理センター３００に設置された薬剤管理サーバ３１０と、これらを相互に接続するインターネット等であるネットワーク４００とを有している。なお、医療機関１００1〜１００nとは、病院または薬局のことであり、病院または薬局ごとに医療機関サーバを設置することを想定している。ただし、同一病院内に複数の診療科のある場合は診療科ごとに医療機関サーバを設置することとしても良い。
【００２４】
薬剤管理サーバ３１０は、受信部３１１と、通知部３１２と、緊急通知部３１３と、判定部３１４と、薬剤管理部３１５と、薬剤データベース（以下、ＤＢと称する）３１６と、薬剤履歴管理部３１７と、薬剤履歴ＤＢ３１８とを有している。
【００２５】
受信部３１１は、医療機関１００1〜１００nが患者２００1〜２００mに投与した薬剤の内容を示す薬剤投与情報を医療機関サーバ１１０1〜１１０nからネットワーク４００を介して受信する。また、受信部３１１は、患者２００1〜２００mが医療機関１００1〜１００nから実際に受け取った薬剤の内容を示す薬剤受取情報をユーザ端末２１０1〜２１０mからネットワーク４００を介して受信する。
【００２６】
薬剤管理部３１５は、医療機関１００1〜１００nのそれぞれにて取り扱う薬剤の名称、効能、服用法、服用量等の情報を薬剤ＤＢ３１６に登録し、管理する。
【００２７】
薬剤履歴管理部３１７は、ユーザ端末２１０1〜２１０mから受信した薬剤受取情報に基づき、医療機関１００1〜１００nのそれぞれから患者２００1〜２００mに投与された薬剤履歴を作成または更新し、その薬剤履歴を薬剤履歴ＤＢ３１８に登録し、管理する。
【００２８】
判定部３１４は、医療機関サーバ１１０1〜１１０nから受信した薬剤投与情報と、ユーザ端末２１０1〜２１０mから受信した薬剤受取情報とを比較し、その比較結果に基づいて、医療機関１００1〜１００nに投薬ミスがあったか否かを判定する。さらに、判定部３１４は、薬剤履歴管理部３１７により管理されている薬剤履歴に基づいて、患者２００1〜２００mへの薬剤の重複投与があったか否かを判定する。
【００２９】
緊急通知部３１３は、判定部３１４にて投薬ミスまたは重複投与があったと判定された場合、投薬ミスまたは重複投与に係る薬剤を投与した医療機関の医療機関サーバ１１０1〜１１０nに対し、ネットワーク４００を介して投薬ミスまたは重複投与の緊急通知を行う。さらに、緊急通知部３１３は、投薬ミスまたは重複投与に係る薬剤が投与された患者のユーザ端末２１０1〜２１０mに対し、ネットワーク４００を介して投薬ミスまたは重複投与の緊急通知を行う。
【００３０】
通知部３１２は、上述の緊急通知以外の通知を、ネットワーク４００を介してユーザ端末２１０1〜２１０mに行う。例えば、薬剤の服用時間になると、その旨の通知を行う。
【００３１】
医療機関サーバ１１０1〜１１０nは、受信部１１１と、通知部１１２と、緊急通知転送部１１３と、薬剤管理部１１４と、薬剤ＤＢ１１５とを有している。
【００３２】
受信部１１１は、薬剤管理サーバ３１０からネットワーク４００を介して投薬ミスまたは重複投与の緊急通知を受信する。
【００３３】
通知部１１２は、自己の医療機関が患者に投与した薬剤の内容（名称、効能、用法、用量等）を示す薬剤投与情報をネットワーク４００を介して薬剤管理サーバ３１０に通知するとともに、自己の医療機関の名称、所在地等の医療機関情報をネットワーク４００を介して薬剤管理サーバ３１０に通知する。
【００３４】
薬剤管理部１１４は、自己の医療機関にて取り扱う薬剤の名称、効能、服用法、服用量等の情報を薬剤ＤＢ１１５に登録し、管理する。
【００３５】
緊急通知転送部１１３は、薬剤管理サーバ３１０から投薬ミスまたは重複投与の緊急通知を受信した場合、投薬ミスまたは重複投与に係る薬剤が投与された患者のユーザ端末２１０1〜２１０mに対し、ネットワーク４００を介して緊急通知を転送する。また、緊急通知転送部１１３は、緊急通知の転送に際し、薬剤管理部１１４により管理されている薬剤ＤＢ１１５に基づき投薬ミスまたは重複投与があった場合の対処法を判断し、その対処法も併せてユーザ端末２１０1〜２１０mに転送する。
【００３６】
なお、医療機関１００1〜１００nは、患者２００1〜２００mに薬剤を投与する際、例えば、図２に示すように、薬剤を包む包装に無線情報発信タグ（ＲＦＩＤ：Ｒａｄｉｏ  Ｆｒｅｑｕｅｎｃｙ  Ｉｄｅｎｔｉｆｉｃａｔｉｏｎ）５００を添付する。
【００３７】
この無線情報発信タグ５００は、医療機関の名称、所在地等の医療機関情報、および、薬剤の名称、効能、用法、用量等の薬剤情報が書き込まれており、書き込まれている情報を無線情報発信タグ５００の一定範囲内に位置する端末に対して自動発信する。例えば、患者２００1が医療機関１００1から薬剤の入れ物を受け取った場合、この薬剤の入れ物に添付された無線情報発信タグ５００に書き込まれている医療機関情報および薬剤情報がユーザ端末２１０1に対して自動発信される。
【００３８】
ユーザ端末２１０1〜２１０mは、携帯電話、ＰＤＡ（Ｐｅｒｓｏｎａｌ  Ｄｉｇｉｔａｌ  Ａｓｓｉｓｔａｎｔ）等の端末である。この２１０1〜２１０mは、受信部２１１と、通知部２１２と、表示部２１３とを有している。
【００３９】
受信部２１１は、医療機関サーバ１１０1〜１１０nおよび薬剤管理サーバ３１０からネットワーク４００を介して上述の緊急通知を受信する。さらに、受信部２１１は、薬剤の入れ物に添付された上述の無線情報発信タグ５００から自動発信された薬剤情報および医療機関情報を受信する。
【００４０】
通知部２１２は、無線情報発信タグ５００から受信した薬剤情報を薬剤受取情報としてネットワーク４００を介して薬剤管理サーバ３１０に通知するとともに、無線情報発信タグ５００から受信した医療機関情報をネットワーク４００を介して薬剤管理サーバ３１０に通知する。
【００４１】
表示部２１３は、無線情報発信タグから受信した薬剤情報および医療機関情報等の各種の情報を表示する。
【００４２】
以下、図１に示した薬剤管理システムによる薬剤管理方法の流れについて、図３のフローチャートを用いて説明する。ここでは、医療機関１００1が患者２００1に薬剤を投与した場合の流れについて説明する。
【００４３】
まず、医療機関サーバ１１０1内の通知部１１２は、医療機関１００1が患者２００1に投与した薬剤の内容（名称、効能、用法、用量等）を示す薬剤投与情報、および、医療機関１００1の名称、所在地等の医療機関情報を、ネットワーク４００を介して薬剤管理サーバ３１０に通知する（ステップ３０１）。この通知は、薬剤管理サーバ３１０の受信部３１１にて受信される（ステップ３０２）。
【００４４】
一方、ユーザ端末２１０1の受信部１１１は、患者２００1が実際に医療機関１００1から受け取った薬剤の入れ物に添付されている無線情報発信タグ５００から自動発信される薬剤情報（薬剤の名称、効能、用法、用量等）、および、医療機関情報（医療機関１００1の名称、所在地等）を受信する（ステップ３０３）。患者２００1は、無線情報発信タグ５００から受信した薬剤情報をユーザ端末２１０1の表示部１１３に表示することにより、薬剤の服用時間、服用量、注意事項等を確認することができる。
【００４５】
次に、ユーザ端末２１０1の通知部１１２は、無線情報発信タグ５００から受信した薬剤情報を薬剤受取情報としてネットワーク４００を介して薬剤管理サーバ３１０に通知するとともに、無線情報発信タグ５００から受信した医療機関情報をネットワーク４００を介して薬剤管理サーバ３１０に通知する（ステップ３０４）。この通知は、薬剤管理サーバ３１０の受信部３１１にて受信される（ステップ３０５）。
【００４６】
薬剤管理サーバ３１０の薬剤履歴管理部３１７は、ユーザ端末２１０1から受信した薬剤受取情報に基づいて、患者２００1の薬剤履歴を作成または更新し、薬剤履歴ＤＢ３１８に登録する（ステップ３０６）。
【００４７】
次に、薬剤管理サーバ３１０の判定部３１４は、ユーザ端末２１０1から受信した薬剤受取情報と、医療機関サーバ１１０1から先に受信した薬剤投与情報とを比較し、その比較結果に基づいて医療機関１００の投薬ミスがあったか否かを判定する（ステップ３０７）。例えば、判定部３１４は、ユーザ端末２１０1から受信した薬剤受取情報と、医療機関サーバ１１０1から受信した薬剤投与情報とを比較した結果、薬剤の種類、数量等の任意の要素が異なる場合、投薬ミスであると判定することが考えられる。
【００４８】
さらに、薬剤管理サーバ３１０の判定部３１４は、薬剤履歴管理部３１７により管理されている患者２００1の薬剤履歴に基づいて、患者２００1への薬剤の重複投与があるか否かを判定する（ステップ３０８）。例えば、判定部３１４は、医療機関１００1〜１００nのいずれかが患者２００1に全く同じ薬剤を投与していた場合（その薬剤を投与してから一定期間経過している場合を除く）や、患者２００1に効能が重複する薬剤を投与していた場合（その薬剤を投与してから一定期間経過している場合を除く）に、重複投与であると判定することが考えられる。
【００４９】
ステップ３０７，３０８において、判定部３１４により投薬ミスまたは重複投与があると判定された場合（ステップ３０９のＹｅｓ）、薬剤管理サーバ３１０の緊急通知部３１３は、ネットワーク４００を介してユーザ端末２１０1および医療機関サーバ１１０1に投薬ミスまたは重複投与の緊急通知を行う（ステップ３１０）。この緊急通知は、ユーザ端末２１０1の受信部２１１および医療機関サーバ１１０1の受信部１１１にてそれぞれ受信される（ステップ３１１，３１２）。
【００５０】
医療機関サーバ１１０1の緊急通知転送部１１３は、薬剤管理サーバ３１０からの投薬ミスまたは重複投与の緊急通知を受信部１１１にて受信すると、ネットワーク４００を介してユーザ端末２１０1に緊急通知を転送する（ステップ３１３）。
【００５１】
さらに、医療機関サーバ１１０1の緊急通知転送部１１３は、薬剤管理部１１４にて管理されている薬剤ＤＢ１１５内の情報に基づき、投薬ミスまたは重複投与があった場合の対処法を判断し、その対処法をネットワーク４００を介してユーザ端末２１０1に通知する（ステップ３１４）。例えば、投薬ミスがあった場合の対処法としては、投薬ミスのあった薬剤については服用を禁止し、投薬ミスのなかった薬剤については服用を促す等の対処法が考えられる。また、重複投与があった場合の対処法としては、重複投与されている薬剤を服用できる１回または１日あたりの限度量を通知する等の対処法が考えられる。
【００５２】
なお、医療機関サーバ１１０1および薬剤管理サーバ３１０からユーザ端末２１０1に緊急通知を行うタイミングは、任意のタイミングで構わない。ただし、患者２００1が種類、数量等に誤りがある薬剤を服用することを防止できる最も効果的なタイミングは、薬剤服用前のタイミングであると考えられる。そのため、薬剤の服用時間の直前または一定時間前に、ユーザ端末２１０1に緊急通知を行うことが好ましい。また、医療機関サーバ１１０1および薬剤管理サーバ３１０は、緊急通知を確認した旨の通知がユーザ端末２１０1から返信されるまで、緊急通知を複数回繰り返し行うこととしても良い。
【００５３】
一方、ステップ３０７，３０８において、判定部３１４により投薬ミスまたは重複投与のいずれもないと判定された場合（ステップ３０９のＮｏ）、薬剤管理サーバ３１０の通知部３１２は、薬剤の服用時間になると、服用量や注意事項等をネットワーク４００を介してユーザ端末２１０1に通知する（ステップ３１５）。この通知は、ユーザ端末２１０1の受信部２１１にて受信される（ステップ３１６）。したがって、患者２００1は、薬剤の服用時間を自身で管理していなくても、薬剤管理サーバ３１０からの通知に基づき適正な時間に薬剤を服用することができる。
【００５４】
なお、患者２００1は、ステップ３１４，３１６にて対処法通知または服用通知を受けて薬剤を服用した場合、薬剤を服用した旨をユーザ端末２１０1からネットワーク４００を介して薬剤管理サーバ３１０に通知することとし、薬剤管理サーバ３１０の薬剤履歴管理部３１７は、ユーザ端末２１０1からの通知に基づき患者２００1の薬剤履歴を更新することとしても良い。この場合、薬剤管理サーバ３１０は、患者２００1への薬剤の投与履歴だけでなく、患者２００1の服用履歴も管理することができるようになる。
【００５５】
上述したように本実施形態においては、薬剤管理サーバ３１０において、医療機関１００1が患者２００1に投与した薬剤の内容を示す薬剤投与情報を医療機関サーバ１１０1から受信するとともに、患者２００1が実際に受け取った薬剤の内容を示す薬剤受取情報をユーザ端末２１０1から受信し、医療機関サーバ１１０1からの薬剤投与情報とユーザ端末２１０1からの薬剤受取情報との比較結果に基づいて投薬ミスがあるか否かを判定しているため、投薬ミスがあったことを容易に発見することができる。
【００５６】
また、薬剤管理サーバ３１０において、医療機関１００1〜１００nのそれぞれから患者２００1が受け取った薬剤履歴を管理し、薬剤履歴に基づいて重複投与があるか否かを判定しているため、複数の病院や診療科にかかって重複した薬剤が投与された場合にも、重複投与があったことを容易に発見することができる。
【００５７】
また、薬剤管理サーバ３１０において、投薬ミスまたは重複投与があった場合に、医療機関サーバ１１０1に緊急通知を行うため、医療機関１００1は、患者２００1に投与した薬剤について投薬ミスまたは重複投与があったことを認識することができる。例えば、医療機関１００1は、投薬ミスの緊急通知を受けた場合、以降、投薬ミスがないように十分な注意を持って投薬を行うものと考えられるため、投薬ミスを予備的に防ぐことにも繋がると考えられる。
【００５８】
また、薬剤管理サーバ３１０において、投薬ミスまたは重複投与があった場合に、ユーザ端末２１０1に緊急通知を行うため、患者２００1は、緊急通知がない限り、医療機関１００1から受け取った薬剤について投薬ミスまたは重複投与がないという安心感を持って当該薬剤を服用することができるようになる。
【００５９】
また、医療機関サーバ１１０1において、薬剤管理サーバ３１０からの投薬ミスまたは重複投与の緊急通知をユーザ端末２１０1に転送しているため、患者２００1は、薬剤管理サーバ３１０および医療機関サーバ１１０1の２箇所から緊急通知を受けることになり、より安心感を持って薬剤を服用することができるようになる。
【００６０】
また、ユーザ端末２１０1において、患者２００1が医療機関１００1から受け取った薬剤の入れ物に添付された無線情報発信タグ５００から薬剤情報を受信し、受信した薬剤情報を薬剤受取情報として薬剤管理サーバ３１０に通知しているため、患者２００1は、自身で薬剤情報を記入または入力するという面倒な処理を行わずとも、薬剤管理サーバ３１０に薬剤履歴の管理を行わせることができる。
【図面の簡単な説明】
【００６１】
【図１】本発明の一実施形態による薬剤管理システムの構成を示す図である。
【図２】無線情報発信タグの添付方法の一例を説明する図である。
【図３】図１に示した薬剤管理システムによる薬剤管理方法を説明するフローチャートである。
【符号の説明】
【００６２】
１００1〜１００n    医療機関
１１０1〜１１０n    医療機関サーバ
１１１    受信部
１１２    通知部
１１３    緊急通知転送部
１１４    薬剤管理部
１１５    薬剤ＤＢ
２００1〜２００m    患者
２１０1〜２１０m    ユーザ端末
２１１    受信部
２１２    通知部
２１３    表示部
３００    薬剤管理センター
３１０    薬剤管理サーバ
３１１    受信部
３１２    通知部
３１３    緊急通知部
３１４    判定部
３１５    薬剤管理部
３１６    薬剤ＤＢ
３１７    薬剤履歴管理部
３１８    薬剤履歴ＤＢ
４００    ネットワーク
５００    無線情報発信タグ
【図１】
2005056317.tif 000003
【図２】
2005056317.tif 000004
【図３】
2005056317.tif 000005